【事件の表示】
　特願２００５−１６５３０３号「ヒートポンプ式空気調和装置」拒絶査定不服審判事件〔平成１８年１２月１４日出願公開、特開２００６−３３６９９９号〕について、次のとおり審決する。
【結　論】
　本件審判の請求は、成り立たない。
【理　由】
第１．手続の経緯
　本件に係る出願（以下「本願」という。）は、平成１７年６月６日の出願であって、平成２２年６月１１日付けで拒絶査定がなされ（発送日：同年６月２２日）、これに対し、同年９月２２日に拒絶査定不服審判の請求がなされ、その審判の請求と同時に手続補正がなされたものである。
　
第２．平成２２年９月２２日付け手続補正についての補正却下の決定
［補正却下の決定の結論］
　平成２２年９月２２日付け手続補正（以下「本件補正」という。）を却下する。
　
［理由］
１．本件補正発明
　本件補正は、特許請求の範囲の請求項１について、本件補正前に「ケーシング内に、外気入口から被空調室への給気口に至る給気流路と、被空調室からの還気口から排気口に至る還気流路を有し、これら給気流路と還気流路を跨ぐ全熱交換器を備え、前記給気流路における前記全熱交換器の下流側に設けた給気側熱交換器と、前記還気流路における前記全熱交換器の上流側に設けた還気側熱交換器とに対し、圧縮機からの冷媒を前記還気側熱交換器と給気側熱交換器の順またはその逆に流通せしめて被空調室に対する冷房運転と暖房運転を切替えて行うように構成したヒートポンプ式空気調和装置において、前記給気側熱交換器の下方に設けたドレンパンと、前記還気側熱交換器まわりに水を供給する給水手段と、前記ドレンパンで捕集したドレン水を前記給水手段に送る送水手段を備え、冷房運転時において前記給気側熱交換器表面で発生するドレン水を前記給水手段によって前記還気側熱交換器に供給して、還気側熱交換器から放出される熱を奪って排気温度を低下させるように構成してなるヒートポンプ式空気調和装置。」とあったものを「ケーシング内に、外気入口から被空調室への給気口に至る給気流路と、被空調室からの還気口から排気口に至る還気流路と
が仕切り板によって区画され
いで、前記給気流路中の空気と還気流路中の空気が対向して流される
るとともに、還気側熱交換器における凝縮温度を低下させて、圧縮機における運転動力を減少せしめ
　上記補正について検討する。
　本件補正後の特許請求の範囲の請求項１に記載された発明は、給気流路と還気流路とについて、給気流路と還気流路とを「
仕切り板によって区画され
いで、前記給気流路中の空気と還気流路中の空気が対向して流される
還気側熱交換器における凝縮温度を低下させて、圧縮機における運転動力を減少せしめ
　そこで、本件補正後の特許請求の範囲の請求項１に記載された発明（以下「本件補正発明」という。）が特許出願の際独立して特許を受けることができるものであるか（改正前特許法第１７条の２第５項において準用する同法第１２６条第５項の規定に適合するか）否かについて検討する。
　
２．刊行物に記載された発明
　原査定の拒絶理由において提示された、本願の出願前に頒布された刊行物である特表２００２−５０８８２９号公報（以下「刊行物」という。）には、図面と共に次の事項が記載されている。
a)「［発明の属する技術分野］
　本発明は空気流切換式冷暖房兼用エアコンディショナーに関し、より詳細には、
室内外の空気の流れを選択的に蒸発器または凝縮器を経るように切換えることにより、効率的に冷暖房機能を兼ねることができ
冷暖房兼用エアコンディショナー
［従来の技術］
　従来の冷暖房兼用エアコンディショナーは、冷房用冷媒サイクルとヒーターとを兼備した構造であったり、室外側熱交換器と室内側熱交換器とを備え方向切換バルブを利用して冷媒の流れを切換え、冷房時には室内側熱交換器が蒸発器として作動するようにして室内の熱を吸収し、暖房時には室内側熱交換器が凝縮器として作用するようにして室内に熱を放出するようにした、熱ポンプ式の構造をもっている。しかし、このような従来の冷暖房兼用エアコンディショナーは、相対的にその構造が複雑である反面、冷暖房効率は低いため、製作および維持の費用が多くかかるという問題があった。
［発明が解決しようとする課題］
　本発明は上述したような従来の冷暖房装置の問題点にかんがみ提案するものであって、簡単な冷媒サイクル構造であって室内の
空気の流れ方向だけを制御することにより、冷房と暖房の機能を果たす
　さらに本発明は、室内空気の換気機能を具備して換気時に排気中のエネルギーを回収し、室内の温度と湿度を精密に制御または維持することができる、新たな構造の冷暖房兼用エアコンディショナーを提供しようとするのである。」（第3ページ第3行〜第25行）
b)「［課題を解決するための手段］
　本発明によれば、圧縮器４、凝縮器３、膨張バルブ５またはキャピラリチューブおよび蒸発器２と、これらを順次に連結する冷媒管９と送風ブロワー１０をそなえたエアコンディショナーにおいて、室内Ｒに開放された室内側吐出口１１および室内側吸入口１２と、室外に開放された室外側吐出口１３および室外側吸入口１４とが隔壁２５、２６によりそれぞれ仕切られるように形成されたケース１と、前記室内側吐出口１１と室内側吸入口１２との間、および前記室外側吐出口１３と室外側吸入口１４との間に形成され、相互に仕切られた空間にそれぞれ前記蒸発器２と前記凝縮器３が設けられた熱交換室２０と、前記蒸発器２と前記室内側吐出口１１との間に形成された第一ダンパー３１と、凝縮器３と室内側吐出口１１との間に形成された第二ダンパー３２と、室内側吸入口１２と蒸発器２との間に形成された第三ダンパー３３と、室内側吸入口１２と凝縮器３との間に形成された第四ダンパー３４と、前記室外側吸入口１４と蒸発器２との間に形成された第五ダンパー３５と、凝縮器３と室外側吸入口１４との間に形成された第六ダンパー３６と、室外側吐出口１３と蒸発器２との間に形成された第七ダンパー３７と、室外側吐出口１３と凝縮器３との間に形成された第八ダンパー３８とを含み、前記ダンパー３１〜３８の開度を個別的に制御するコントロール部を有することを特徴とする空気流切換式冷暖房兼用エアコンディショナーが提供される。」（第4ページ第4行〜第22行）
c)「 図１は本発明の好ましい実施例の部分切断斜視図であり、図２および図３はそれぞれ冷房モードおよび暖房モードにおける動作状態図である。図示のとおり、本発明によれば、
ケース１には、室内側吐出口１１と室内側吸入口１２、および室外側吐出口１３と室外側吸入口１４が
形成される
区画板２１により上下に仕切られ、上部熱交換室２２には蒸発器２が配置され、下部熱交換室２３には凝縮器３が配置される
上部熱交換室２２の蒸発器２から発生した凝縮水は、区画板２１に形成された適切なドレイン抜きにより、下部熱交換室２３の凝縮器３に落下して、凝縮器３の熱効率を高めるようにする
　前述したダンパー３１〜３８について説明すると、これらダンパーは多数のブラインド形状をしていて、図示してないコントローラの制御により空気流路の開度を任意に調節できるように構成され、
第一ダンパー３１は蒸発器２と室内側吐出口１１との間に配置され
第三ダンパー３３は室内側吸入口１２と蒸発器２との間に形成され
第五ダンパー３５は室外側吸入口１４と蒸発器２との間に形成され
第八ダンパー３８は室外側吐出口１３と凝縮器３との間に形成される
d)「このような構成による本発明の冷房モードにおける作動を、図２を参照して説明する。ここで、点線で表示された空気流のルートは、区画板２１の下方で凝縮器３を通過する空気の流れを示す。
　室内空気ルートと蒸発器２との管に形成されたダンパー３１、３３と、室外空気ルートと凝縮器３との間に形成されたダンパー３６、３８とを開放し、残りのダンパー３２、３４、３５、３７を閉じると、蒸発器２を経て冷やされた室内空気が室内空気吐出口１１を通じて室内に流れ、室内で加温された空気は室内空気吸入口１２を通じて蒸発器２に流れるようになる。一方、室外空気吸入器１４を通じて流入した外部空気は、凝縮器３を経ながら熱を吸収し、室外空気吐出口１３を通じて外部に排出されて、室内の冷房がなされる。
　このような冷房モードの場合に、もし開放されるダンパー３１、３３、３６、３８の開度を７０％ほどにし、閉じられるダンパー３２、３４、３５、３７の開度を３０％にすると、７０％の冷たい室内空気と、換気のための３０％の暖かい室外空気とが蒸発器２を通過し、熱が除去されて冷却された混合空気が室内に供給される。この際、
蒸発器２では凝縮水が多量発生して凝縮器３に撒布されることにより、凝縮器の効率が改善される
e)上記b〜cの記載事項及びFｉg．2〜3の図示内容によると、ケース１内に、
室外側吸入口１４から第五ダンパー３５及び第一ダンパー３１を介して室内側吐出口１１へ至る給気路
室内側吸入口１２から第四ダンパー３４及び第八ダンパー３８を介して室外側吐出口１３へ至る排気路
　
　上記a〜dの記載事項、上記eの認定事項、及び、図面の図示内容を総合勘案すると、刊行物には、次の発明が記載されていると認められる。
「ケース１内に、室外側吸入口１４から第五ダンパー３５及び第一ダンパー３１を介して室内側吐出口１１へ至る給気路と、室内側吸入口１２から第四ダンパー３４及び第八ダンパー３８を介して室外側吐出口１３へ至る排気路とが区画板２１により上下に仕切られ、
　上部熱交換室２２に配置された蒸発器２と、下部熱交換室２３に配置された凝縮器３とに対し、室内外の空気の流れを選択的に蒸発器２または凝縮器３を経るように切換えることにより、効率的に冷暖房機能を兼ねることができる、冷暖房兼用エアコンディショナーにおいて、
　蒸発器２では凝縮水が大量発生して、蒸発器２から発生した凝縮水は、区画板２１に形成された適切なドレン抜きにより、凝縮器３に落下して、撒布されることにより、凝縮器３の効率が改善される、冷暖房兼用エアコンディショナー。」
　
３．対比
　本件補正発明と刊行物に記載された発明とを対比する。
　刊行物に記載された発明の「ケース１」は、その構成及び機能からみて、本件補正発明の「ケーシング」に相当し、以下同様に、
　「室外側吸入口１４から第五ダンパー３５及び第一ダンパー３１を介して室内側吐出口１１へ至る給気路」は「外気入口から被空調室への給気口に至る給気流路」に、
　「室内側吸入口１２から第四ダンパー３４及び第八ダンパー３８を介して室外側吐出口１３へ至る排気路」は「被空調室からの還気口から排気口に至る還気流路」に、
　「区画板２１により区画され」ることは「仕切り板によって区画され」ることに、
　「冷暖房兼用エアコンディショナー」は「ヒートポンプ式空気調和装置」に、
　「区画板２１に形成された適切なドレン抜き」は、大量発生した凝縮水を凝縮器３に供給するものであるから、「ドレン水を給水手段に送る送水手段」に、
　「蒸発器２では凝縮水が大量発生して、蒸発器２から発生した凝縮水は」「凝縮器３に落下して、撒布されることにより、凝縮器３の効率が改善される」ことは、冷房運転あるいは暖房運転時に、蒸発器２で大量発生した凝縮水を凝縮器３に撒布すると、凝縮器３において、凝縮水が蒸発され、蒸発に伴い、排気路を流れる空気から熱を奪い、その空気の温度を低下させること、及び、凝縮器３の効率が向上することに伴い、冷凍サイクルを構成する圧縮機の動力が軽減されることは明らかであるから、「還気側熱交換器まわりに水を供給する給水手段」を備え、「冷房運転時において給気側熱交換器表面で発生するドレン水を給水手段によって還気側熱交換器に供給して、還気側熱交換器から放出される熱を奪って排気温度を低下させるとともに、還気側熱交換器における凝縮温度を低下させて、圧縮機における運転動力を減少せしめる」ことに、
　それぞれ相当する。
　そして、刊行物に記載された発明の「上部熱交換室２２に配置された蒸発器２と、下部熱交換室２３に配置された凝縮器３とに対し、室内外の空気の流れを選択的に蒸発器２または凝縮器３を経るように切換える」ことと、本件補正発明の「給気流路における全熱交換器の下流側に設けた給気側熱交換器と、還気流路における全熱交換器の下流側に設けた還気側熱交換器とに対し、圧縮機からの冷媒を還気側熱交換器と給気側熱交換器の順またはその逆に流通せしめて被空調室に対する冷房運転と暖房運転を切替えて行う」こととは、前者において、蒸発器２は、給気路に設けられ、給気側熱交換器といえ、また、凝縮器３は、排気路に設けられ、排気側熱交換器といえるから、両者は、「給気流路に設けた給気側熱交換器と、還気流路に設けた還気側熱交換器とに対し、圧縮機からの冷媒を還気側熱交換器と給気側熱交換器の順に流通せしめ、また、被空調室に対する冷房運転と暖房運転を切替えて行う」ことで共通する。
　
　したがって、両者の一致点および相違点は、次のとおりである。
［一致点］
「ケーシング内に、外気入口から被空調室への給気口に至る給気流路と、被空調室からの還気口から排気口に至る還気流路とが仕切り板によって区画され、前記給気流路に設けた給気側熱交換器と、前記還気流路に設けた還気側熱交換器とに対し、圧縮機からの冷媒を前記還気側熱交換器と給気側熱交換器の順に流通せしめ、また、被空調室に対する冷房運転と暖房運転を切替えて行うように構成したヒートポンプ式空気調和装置において、
　前記還気側熱交換器まわりに水を供給する給水手段と、ドレン水を前記給水手段に送る送水手段を備え、冷房運転時において前記給気側熱交換器表面で発生するドレン水を給水手段によって還気側熱交換器に供給して、還気側熱交換器から放出される熱を奪って排気温度を低下させるとともに、還気側熱交換器における凝縮温度を低下させて、圧縮機における運転動力を減少せしめるように構成してなるヒートポンプ式空気調和装置。」
　
［相違点１］
　本件補正発明では、給気流路と還気流路を跨いで、給気流路中の空気と還気流路中の空気が対向して流される全熱交換器を備え、給気側熱交換器を給気流路における全熱交換器の下流側に設け、還気側熱交換器を還気流路における全熱交換器の下流側に設けたのに対して、刊行物に記載された発明では、給気側熱交換器を給気路に設け、還気側熱交換器を排気路に設けるが、全熱交換器を具備していない点。
　
［相違点２］
　冷房運転と暖房運転の切替えが、本件補正発明では、圧縮機からの冷媒を還気側熱交換器と給気側熱交換器の順またはその逆に流通せしめて被空調室に対する冷房運転と暖房運転を切替えて行うのに対して、刊行物に記載された発明では、圧縮機からの冷媒を還気側熱交換器と給気側熱交換器の順に流通せしめ、空気の流れを切替えることにより行う点。
　
［相違点３］
　本件補正発明では、給気側熱交換器の下方にドレンパンを設け、ドレンパンで捕集したドレン水を給水手段に送るのに対して、刊行物に記載された発明では、蒸発器２で大量発生するドレン水をドレンパンで捕集するか否か不明である点。
　
４．当審の判断
（１）上記相違点１〜２について検討する。
　刊行物に記載された発明は、前記２．（１）aの［従来の技術］の項に、「室外側熱交換器と室内側熱交換器とを備え方向切換バルブを利用して冷媒の流れを切換え、冷房時には室内側熱交換器が蒸発器として作動するようにして室内の熱を吸収し、暖房時には室内側熱交換器が凝縮器として作用するようにして室内に熱を放出するようにした、熱ポンプ式の構造をもっている…従来の冷暖房兼用エアコンディショナーは、相対的にその構造が複雑である反面、冷暖房効率は低いため、製作および維持の費用が多くかかるという問題があった。」と記載されているように、方向切換バルブを利用して、冷媒の流れを切換える冷暖房兼用エアコンディショナーにおける、冷暖房効率が低いという課題を解決するためになされたものである。
　しかしながら、方向切替えバルブを利用して冷媒の流れの切替えを行う冷暖房兼用エアコンディショナーにおいても、冷暖房効率を高めることは、本願出願前から周知の課題である。そして、当該周知の課題を解決するために、給気流路と還気流路を跨いで、給気流路中の空気と還気流路中の空気が対向して流される全熱交換器を備え、併せて、給気側熱交換器を給気流路における全熱交換器の下流側に設け、還気側熱交換器を還気流路における全熱交換器の下流側に設けた、方向切替えバルブを利用して冷媒の流れの切替えを行う冷暖房兼用エアコンディショナーは、本願出願前に周知の技術事項である（例えば、特開平５−１５７２８２号公報の段落【0008】〜【0012】及び【図1】や、原査定の拒絶の理由に提示された特開平７−３１０９６４号公報の従来技術を参照。以下「周知の技術事項１」という。）。
　また、同じく空気調和装置の技術分野において、排気の熱を有効活用するために、全熱交換器を給気路と排気路を跨いで備えることは、本願出願前から広く行われている技術事項である。
　さらに、刊行物に記載された冷暖房効率を向上させた冷暖房兼用エアコンディショナーにおいて、同じく、冷暖房効率を向上させるために、空気の流れを切替えることにより冷房運転と暖房運転とを切替えることに換えて、方向切替えバルブを利用して冷媒の流れの切替えを行うとともに、併せて、給気流路と還気流路を跨いで全熱交換器を備えた上記周知の技術事項１を採用することを阻害する要因は見当たらない。
　したがって、刊行物に記載された発明において、冷暖房効率を向上させるために上記周知の技術事項１を採用して、空気の流れを切替えることにより冷房運転と暖房運転とを切替えることに換えて、方向切替えバルブを利用して冷媒の流れの切替えを行うとともに、併せて、給気流路と還気流路を跨いで全熱交換器を備え、上記相違点１〜２に係る本件補正発明の発明特定事項に到達することは、当業者が容易になし得たものである。
  
（２）上記相違点３について検討する。
　ヒートポンプ式空気調和装置の技術分野において、給気側熱交換器の下方にドレンパンを設け、還気側熱交換器まわりに水を供給する給水手段と、ドレンパンで捕集したドレン水を給水手段に送る送水手段を備えることは、本願出願前に周知の技術事項である（例えば、実願昭６２−１５４４７１号（実開平１−６０１２６号）のマイクロフィルム第6、7ページ、第1図のドレンパン22、ポンプ23及び撒布する手段や、特開平８−３０３８１３号公報段落【0033】〜【0034】及び【図1】の水溜皿26、配管27、送水装置30及びドレン水滴下装置28や、特開平５−２７２７８０号公報段落【0017】〜【0020】及び【図1】のドレンパン12、13、連通管14、ポンプ16及び水蒸発手段11や、特開２００３−１３０３９１号公報段落【0026】、【0039】及び【図1】のドレンタンク21、ポンプ22及び加湿器8を参照。以下「周知の技術事項２」という。）。
　したがって、刊行物に記載された発明の凝縮器３に凝縮水を撒布させる構成として、上記周知の技術事項２を採用して、蒸発器２で発生した大量の凝縮水をドレンパンに捕集し、ドレン抜きに導くことは当業者が容易になし得たものである。
　
（３）小括
　本件補正発明の奏する効果は、刊行物に記載された発明及び周知の技術事項から当業者が予測できた効果の範囲内のものである。
　よって、本件補正発明は、刊行物に記載された発明及び周知の技術事項に基づいて当業者が容易に発明をすることができたものであるから、特許法第２９条第２項の規定により、特許出願の際独立して特許を受けることができないものである。
　
５．まとめ
　よって、本件補正は、改正前特許法第１７条の２第５項において準用する同法第１２６条第５項の規定に違反するので、同法第１５９条第１項において読み替えて準用する同法第５３条第１項の規定により却下すべきものである。
　
第３．本願発明について
１．本願発明
　本件補正は上記のとおり却下されたので、本願の請求項１に係る発明（以下「本願発明」という。）は、平成２２年５月１７日付け手続補正書の特許請求の範囲の請求項１に記載された事項により特定される次のとおりのものである。
「ケーシング内に、外気入口から被空調室への給気口に至る給気流路と、被空調室からの還気口から排気口に至る還気流路を有し、これら給気流路と還気流路を跨ぐ全熱交換器を備え、前記給気流路における前記全熱交換器の下流側に設けた給気側熱交換器と、前記還気流路における前記全熱交換器の上流側に設けた還気側熱交換器とに対し、圧縮機からの冷媒を前記還気側熱交換器と給気側熱交換器の順またはその逆に流通せしめて被空調室に対する冷房運転と暖房運転を切替えて行うように構成したヒートポンプ式空気調和装置において、前記給気側熱交換器の下方に設けたドレンパンと、前記還気側熱交換器まわりに水を供給する給水手段と、前記ドレンパンで捕集したドレン水を前記給水手段に送る送水手段を備え、冷房運転時において前記給気側熱交換器表面で発生するドレン水を前記給水手段によって前記還気側熱交換器に供給して、還気側熱交換器から放出される熱を奪って排気温度を低下させるように構成してなるヒートポンプ式空気調和装置。」
　
２．刊行物に記載された発明
　原査定の拒絶の理由に引用した刊行物、刊行物の記載事項及び刊行物に記載された発明は、前記「第２．［理由］２．刊行物に記載された発明」に記載したとおりである。
　
３．対比および判断
　本願発明は、前記「第２．［理由］」において検討した本件補正発明において、給気流路と還気流路とを「
仕切り板によって区画され
いで、前記給気流路中の空気と還気流路中の空気が対向して流される
還気側熱交換器における凝縮温度を低下させて、圧縮機における運転動力を減少せしめ
　そうすると、実質的に本願発明の発明特定事項をすべて含み、さらに、他の発明特定事項を付加したものに相当する本件補正発明が、前記「第２．［理由］３．対比および４．当審の判断」に記載したとおり、刊行物に記載された発明及び周知の技術事項に基づいて当業者が容易に発明をすることができたものであるから、本願発明も同様に、刊行物に記載された発明及び周知の技術事項に基づいて当業者が容易に発明をすることができたものである。  
 　  
４．むすび  
　以上のとおりであるから、本願発明は、刊行物に記載された発明及び周知の技術事項に基づいて当業者が容易に発明をすることができたものであり、特許法第２９条第２項の規定により特許を受けることができない。  
　したがって、本願のその他の請求項に係る発明について検討するまでもなく、本願は拒絶すべきものである。
　よって、結論のとおり審決する。